(57)【要約】【課題】解像度に応じて画像データの回転処理を効率良く行って、回転処理が必要な場合でも、全体処理を短時間で行える画像読取記録装置を提供する。【解決手段】原稿画像を読み取って得られるＬａｂの多値の画像データを第１画像メモリ１５に格納し、Ｌａｂの多値データを第１画像メモリ１５から色変換・２値化部１６へ読み出して記録用の各画素１ビットのＫ，Ｃ，Ｍ，Ｙの２値の画像データに変換し、変換した２値の画像データを第２画像メモリ１７に格納し、Ｋ，Ｃ，Ｍ，Ｙの２値データを記録部１８へ読み出してそれに基づく記録処理を行う。画像データの回転処理が必要である場合、解像変換処理を要する解像度が２４００ｄｐｉであるときには第１画像メモリ１５からのデータ読み出し時に回転処理を行い、解像変換処理を要しない解像度が６００ｄｐｉであるときには第２画像メモリ１７からのデータ読み出し時に回転処理を行う。【選択図】        図１
2004159001.tif 000002
【特許請求の範囲】
【請求項１】
原稿画像を読み取る読取部と、該読取部にて読み取った多値の画像データを格納する第１メモリと、該第１メモリに格納されている多値の画像データを読み出して記録用の２値の画像データに変換する変換部と、変換された２値の画像データを格納する第２メモリと、該第２メモリに格納されている２値の画像データを読み出して該２値の画像データに基づく画像を記録する記録部とを備える画像読取記録装置において、解像度を設定する設定手段と、該設定手段にて設定された解像度に応じて、画像データの回転処理を、前記第１メモリからの多値の画像データの読み出し時、または、前記第２メモリからの２値の画像データの読み出し時の何れにて行うかを制御する制御手段とを備えることを特徴とする画像読取記録装置。
【請求項２】
第１解像度と、該第１解像度より高い解像度である第２解像度とによる処理が可能であり、前記第１解像度の場合には、前記第２メモリからの２値の画像データの読み出し時に画像データの回転処理を行い、前記第２解像度の場合には、前記第１メモリからの多値の画像データの読み出し時に画像データの回転処理を行うように制御するようにしたことを特徴とする請求項１記載の画像読取記録装置。
【請求項３】
前記変換部は、多値の画像データを２値の画像データへ変換する際に、解像度変換処理を行うようにしたことを特徴とする請求項１または２記載の画像読取記録装置。
【発明の詳細な説明】
【０００１】
【発明の属する技術分野】
本発明は、原稿画像を読み取り、得られる画像データに基づく画像を記録する画像読取記録装置に関し、特に、原稿画像の向きと記録紙の向きとが異なる場合に読み取った画像データの回転処理を行う画像読取記録装置に関する。
【０００２】
【従来の技術】
本来のコピー機能，ファクシミリ機能に加えて、ＬＡＮ（Ｌｏｃａｌ  Ａｒｅａ  Ｎｅｔｗｏｒｋ）などの通信網を介してＰＣ（Ｐｅｒｓｏｎａｌ  Ｃｏｍｐｕｔｅｒ）と接続されており、ＰＣから送られるデータを他のファクシミリ装置へ送信する送信機能、及び、そのデータをプリントアウトするプリンタ機能を備えた機能複合型のファクシミリ装置（ファクシミリ複合装置）が開発されている。
【０００３】
このようなファクシミリ複合装置にあっても、プリンタ機能の拡張に伴って、カラー画像読取記録機能の搭載が行われ始めている。このカラー画像読取記録機能は例えば次のようにして実行する。原稿画像をカラーＣＣＤにて読み取り、取得した複数の色成分を有する多値の画像データを一旦多値メモリに格納し、多値メモリから読み出した画像データを記録用の複数色の２値の画像データに変換し、変換した画像データを２値メモリに格納し、２値メモリから読み出した画像データに基づくカラー画像を記録紙に記録する。
【０００４】
画像読取記録機能にあっては、読み取った原稿画像を向きが異なる記録紙にも記録できるように、取得した画像データを回転する回転処理を行えるようになっている。この回転処理は、画像データを格納したメモリからその画像データを読み出す際に行うことが一般的である。このような画像データの回転処理の制御については、種々の方法が提案されている（例えば、特許文献１参照）。
【０００５】
【特許文献１】
特開２００２−２０３２３６号公報
【０００６】
【発明が解決しようとする課題】
既存のファクシミリ複合装置では、１種類の解像度（例えば６００ｄｐｉ）によるカラー画像読取記録を行っているが、もっと高画質の記録を行いたいというユーザの要望が高い。そこで、解像度６００ｄｐｉでの読取記録機能に加えて、解像度２４００ｄｐｉでの読取記録機能も併せて行えるようにしたファクシミリ複合装置の開発が進められている。しかしながら、複数種類の解像度による処理機能を搭載する場合には、画像データの回転処理を効率良く行わないと、その回転処理のために全体の読取記録動作に支障を来したり全体の処理時間が長くなるという問題がある。
【０００７】
本発明は斯かる事情に鑑みてなされたものであり、各種の解像度に応じて画像データの回転処理を効率良く行うことにより、回転処理が必要な場合でも、全体の読取記録動作をスムーズに短時間で行える画像読取記録装置を提供することを目的とする。
【０００８】
【課題を解決するための手段】
請求項１に係る画像読取記録装置は、原稿画像を読み取る読取部と、該読取部にて読み取った多値の画像データを格納する第１メモリと、該第１メモリに格納されている多値の画像データを読み出して記録用の２値の画像データに変換する変換部と、変換された２値の画像データを格納する第２メモリと、該第２メモリに格納されている２値の画像データを読み出して該２値の画像データに基づく画像を記録する記録部とを備える画像読取記録装置において、解像度を設定する設定手段と、該設定手段にて設定された解像度に応じて、画像データの回転処理を、前記第１メモリからの多値の画像データの読み出し時、または、前記第２メモリからの２値の画像データの読み出し時の何れにて行うかを制御する制御手段とを備えることを特徴とする。
【０００９】
請求項１にあっては、画像データの回転処理を実行する場合に、その回転処理を、第１メモリからの多値の画像データの読み出し時に行うか、または、第２メモリからの２値の画像データの読み出し時に行うかを、記録すべき解像度の大きさに応じて制御する。よって、高解像度，低解像度の何れの場合であっても、回転処理を効率良く実行して、回転処理が全体の読取記録動作に大きな影響を及ぼすことがなくなり、全体の読取記録動作を支障無く短時間で行える。
【００１０】
請求項２に係る画像読取記録装置は、請求項１において、第１解像度と、該第１解像度より高い解像度である第２解像度とによる処理が可能であり、前記第１解像度の場合には、前記第２メモリからの２値の画像データの読み出し時に画像データの回転処理を行い、前記第２解像度の場合には、前記第１メモリからの多値の画像データの読み出し時に画像データの回転処理を行うように制御するようにしたことを特徴とする。
【００１１】
請求項２にあっては、解像度が低い場合には、第２メモリからの２値の画像データの読み出し時に画像データの回転処理を行い、解像度が高い場合には、第１メモリからの多値の画像データの読み出し時に画像データの回転処理を行う。よって、解像度に応じて回転処理を効率良く実行する。
【００１２】
請求項３に係る画像読取記録装置は、請求項１または２において、前記変換部は、多値の画像データを２値の画像データへ変換する際に、解像度変換処理を行うようにしたことを特徴とする。
【００１３】
請求項３にあっては、変換部において、多値の画像データを２値の画像データへ変換する際に、解像度変換処理を併せて行う。解像度変換を施さない場合には、変換部より後段の第２メモリからの２値の画像データの読み出し時に画像データの回転処理を行い、解像度変換を施す場合には、変換部より前段の第１メモリからの多値の画像データの読み出し時に画像データの回転処理を行う。よって、全体の読取記録動作に支障無く、画像データの回転処理を効率良く実行する。
【００１４】
【発明の実施の形態】
以下、本発明をその実施の形態を示す図面を参照して具体的に説明する。
図１は、本発明の画像読取記録装置としてのファクシミリ複合装置１の構成を示すブロック図である。このファクシミリ複合装置１は、制御部１０，ＲＯＭ１１，ＲＡＭ１２，読取部１３，色変換部１４，第１画像メモリ１５，色変換・２値化部１６，第２画像メモリ１７，記録部１８，表示部１９，操作部２０，第１コーデック２１，メモリ制御部２２，第２コーデック２３，符号化画像メモリ２４，モデム２５，ＮＣＵ（Ｎｅｔｗｏｒｋ  Ｃｏｎｔｒｏｌ  Ｕｎｉｔ）２６，ＬＡＮインタフェース２７等を備えている。
【００１５】
制御部１０は、具体的にはＣＰＵで構成されており、システムバス２８を介してファクシミリ複合装置１の上述したようなハードウェア各部と接続されていて、それらを制御すると共に、ＲＯＭ１１に格納されたコンピュータプログラムに従って、種々のソフトウェア的機能を実行する。
【００１６】
ＲＯＭ１１は、ファクシミリ複合装置１の動作に必要な種々のソフトウェアのプログラムを予め格納している。ＲＡＭ１２は、ＳＲＡＭまたはフラッシュメモリ等で構成され、ソフトウェアの実行時に発生する一時的なデータを記憶する。
【００１７】読取部１３は、カラーＣＣＤ，ＡＦＥ（Ａｎａｌｏｇ  Ｆｒｏｎｔ  Ｅｎｄ），シェーディング補正部等を有している。カラーＣＣＤは、原稿画像を読み取り、ＲＧＢにより表現される表色系のアナログ信号を取得する。ＡＦＥは、取得されたＲＧＢ表色系のＲ成分，Ｇ成分及びＢ成分夫々を示すアナログ信号を所定の大きさに増幅した後、一定のタイミング毎にサンプリングして、多値（９ビット）のディジタル信号を取得する。シェーディング補正部は、カラーＣＣＤの照明系，結像系及び撮像系で生じた各種の歪みを取り除く補正を行う。
【００１８】
色変換部１４は、読取部１３から出力されるＲＧＢ表色系の９ビットの画像データをＬａｂ表色系の８ビットの画像データに変換する。第１画像メモリ１５は、ＤＲＡＭ等で構成された多値メモリであり、このＬａｂ表色系の８ビットの画像データを一旦格納する。
【００１９】
色変換・２値化部１６は、第１画像メモリ１５に格納されているＬａｂ表色系の８ビットの画像データを読み出し、読み出したＬａｂ表色系の８ビットの画像データを、ＣＭＹＫ表色系の２値の画像データに変換する。この際、第１画像メモリ１５からの画像データの読み出しアドレスを変更することにより、画像データの回転処理を行える。第２画像メモリ１７は、ＤＲＡＭ等で構成された２値メモリであり、この変換されたＣＭＹＫ表色系の２値の画像データを格納する。なお、この色変換・２値化部１６では、低解像度（６００ｄｐｉ）による色変換・２値化処理と、高解像度（２４００ｄｐｉ）による色変換・２値化処理とを行うことができ、この解像度は、ユーザの操作部２０による操作入力によって設定される。
【００２０】
記録部１８は、電子写真方式のプリンタ装置であって、第２画像メモリ１７に格納されている各色（Ｃ／Ｍ／Ｙ／Ｋ）の２値の画像データに基づく画像をハードコピーとしてプリントアウトする。なお、第２画像メモリ１７から２値の画像データを読み出す際に、その読み出しアドレスを変更することによって画像データの回転処理を行える。また、記録部１８は、ファクシミリ通信により受信した画像データ、及び外部のＰＣから入力した画像データに基づく画像もプリントアウトする。
【００２１】
表示部１９は、液晶表示装置またはＣＲＴディスプレイ等の表示装置であり、ファクシミリ複合装置１の動作状態を表示したり、操作部２０を介したユーザの操作入力などを表示する。操作部２０は、解像度を設定する解像度設定キーを含む、ファクシミリ複合装置１を操作するために必要な各種のファンクションキーを備えている。なお、表示部１９をタッチパネル方式とすることにより、操作部２０の各種のキーの内の一部または全部を代用することも可能である。
【００２２】
第１コーデック２１は、色変換・２値化部１６で変換されたＣＭＹＫ表色系の２値の画像データに対して符号化処理を行う。符号化された画像データは、メモリ制御部２２の制御に従って、イメージバス２９を介して符号化画像メモリ２４に格納される。第２コーデック２３は、符号化画像メモリ２４に格納されている符号化画像データに対して、メモリ制御部２２の制御に従って、復号処理を行い、復号したＣＭＹＫ表色系の２値の画像データを出力する。
【００２３】
モデム２５は、システムバス２８に接続されており、ファクシミリ通信が可能なファクスモデムから構成されている。また、モデム２５は、同様にシステムバス２８に接続されたＮＣＵ２６と直接的に接続されている。ＮＣＵ２６は、ＰＳＴＮの閉結及び開放の動作を行うハードウェアであり、必要に応じてモデム２５を電話回線と接続する。ＬＡＮインタフェース２７は、回線ＬによってＬＡＮに接続され、ＬＡＮに接続されたＰＣとの間でデータのやりとりを行う。
【００２４】
次に、このような構成を有するファクシミリ複合装置１でのカラー画像読取記録の動作について説明する。
【００２５】
原稿画像が読取部１３のカラーＣＣＤで読み取られて、ＲＧＢにより表現される表色系のアナログ信号が取得される。このアナログ信号は、ＡＦＥでディジタル信号（Ｒ成分，Ｇ成分及びＢ成分が何れも９ビットのディジタルデータ）に変換され、シェーディング補正が施される。この際の読み取りの解像度は６００ｄｐｉである。このようなＲＧＢ表色系の９ビットの画像データは、色変換部１４にて、Ｌａｂ表色系の８ビットの画像データに変換される。変換されたＬａｂ表色系の８ビットの画像データは、多値メモリである第１画像メモリ１５に一旦格納される。
【００２６】
第１画像メモリ１５に格納されているＬａｂ表色系の８ビットの画像データが読み出され、色変換・２値化部１６にて、６００ｄｐｉまたは２４００ｄｐｉにおけるＣＭＹＫ表色系の２値の画像データに変換される。具体的には、２４００ｄｐｉの場合には補間処理が付加されて、８ビットのＬａｂ画像データに基づき、Ｋ成分，Ｃ成分，Ｍ成分，Ｙ成分の順に、各画素１ビットの記録用画像データが、色変換・２値化部１６で生成される。そして、操作部２０の解像度設定キーにて解像度が２４００ｄｐｉに設定されている場合には、第１画像メモリ１５からＬａｂ表色系の８ビットの画像データを読み出す際に必要に応じて回転処理を行う。この変換されたＣＭＹＫ表色系の２値の画像データは、２値メモリである第２画像メモリ１７に順次格納される。
【００２７】
第２画像メモリ１７に格納されている各色の２値の画像データがＫ，Ｃ，Ｍ，Ｙの順で読み出され、記録部１８にて、各色のトナー像が順次形成されて、フルカラーの記録が行われる。そして、操作部２０の解像度設定キーにて解像度が６００ｄｐｉに設定されている場合には、第２画像メモリ１７からＫ，Ｃ，Ｍ，Ｙの２ビットの画像データを読み出す際に必要に応じて回転処理を行う。
【００２８】
本発明では以上のように、原稿画像の向きと記録紙の向きとが一致していなくて画像データの回転処理が必要な場合、解像度が２４００ｄｐｉであるときには第１画像メモリ１５からのデータ読み出し時にその回転処理を行い、解像度が６００ｄｐｉであるときには第２画像メモリ１７からのデータ読み出し時にその回転処理を行っている。よって、解像度が６００ｄｐｉであって第１画像メモリ１５からのデータ読み出し時に回転処理を行う場合には、１ページ分の全ての画像データが第１画像メモリ１５に格納された後にしか回転処理を行えないため、全体の処理時間が長くかかる。これに対して、本発明では解像度が６００ｄｐｉである場合に第２画像メモリ１７からのデータ読み出し時に回転処理を行うようにしているので、一つの色成分（Ｋ，Ｃ，Ｍ，Ｙの何れか）の２値の画像データが第２画像メモリ１７に格納された時点でその回転処理を行うことがができ、この回転処理を行っている間に次の色成分の色変換・２値化処理を行える。よって、全体の読取記録の処理時間を短縮することが可能である。一方、解像度が２４００ｄｐｉである場合には、色変換・２値化部１６での解像度変換処理を行った後では回転処理を行えないため、色変換・２値化部１６の前段である第１画像メモリ１５からのデータ読み出し時に回転処理を行う。
【００２９】
図２は、ファクシミリ複合装置１でのカラー画像読取記録の動作手順（回転処理有無の判断処理）を示すフローチャートである。
【００３０】
制御部１０は、読取対象の原稿画像の向きと記録すべき記録紙の向きとが一致するか否かを判断する（ステップＳ１）。一致する場合には（Ｓ１：ＹＥＳ）、通常の読取記録処理を行い（ステップＳ２）、一致しない場合には（Ｓ１：ＮＯ）、回転読取記録処理を行う（ステップＳ３）。
【００３１】
図３は、ファクシミリ複合装置１でのカラー画像読取記録の動作手順（回転読取記録処理）を示すフローチャートである。
【００３２】
原稿画像を読み取って得られるＬａｂ表色系の８ビットの画像データを、第１画像メモリ１５に格納する（ステップＳ１１）。制御部１０は、解像度が２４００ｄｐｉに設定されているか否かを判断する（ステップＳ１２）。２４００ｄｐｉに設定されている場合（Ｓ１２：ＹＥＳ）、第１画像メモリ１５からのデータ読み出し時に回転処理を行って（ステップＳ１３）、Ｌａｂ表色系の８ビットの画像データをＫ，Ｃ，Ｍ，Ｙの多値の画像データに変換する（ステップＳ１４）。一方、２４００ｄｐｉに設定されていない場合（Ｓ１２：ＮＯ）、即ち６００ｄｐｉに設定されている場合、回転処理を行わずに、Ｌａｂ表色系の８ビットの画像データをＫ，Ｃ，Ｍ，Ｙの多値の画像データに変換する（Ｓ１４）。
【００３３】
制御部１０は、解像度が２４００ｄｐｉに設定されているか否かを再び判断する（ステップＳ１５）。２４００ｄｐｉに設定されている場合（Ｓ１５：ＹＥＳ）、Ｋ，Ｃ，Ｍ，Ｙの多値の画像データに補間処理を施した後に２値化し（ステップＳ１６）、そのＫ，Ｃ，Ｍ，Ｙの２値の画像データを第２画像メモリ１７に格納する（ステップＳ１８）。一方、２４００ｄｐｉに設定されていない場合（Ｓ１５：ＮＯ）、即ち６００ｄｐｉに設定されている場合、Ｋ，Ｃ，Ｍ，Ｙの多値の画像データをそのまま２値化し（ステップＳ１７）、そのＫ，Ｃ，Ｍ，Ｙの２値の画像データを第２画像メモリ１７に格納する（Ｓ１８）。
【００３４】
制御部１０は、解像度が６００ｄｐｉに設定されているか否かを判断する（ステップＳ１９）。６００ｄｐｉに設定されている場合（Ｓ１９：ＹＥＳ）、第２画像メモリ１７からのデータ読み出し時に回転処理を行って（ステップＳ２０）、記録処理を行う（ステップＳ２１）。一方、６００ｄｐｉに設定されていない場合（Ｓ１９：ＮＯ）、即ち２４００ｄｐｉに設定されている場合、回転処理を行わずに、記録処理を行う（Ｓ２１）。
【００３５】
【発明の効果】以上のように本発明では、解像度に応じて回転処理を行うタイミングを異ならせるようにしたので、全体の動作処理に支障を来すことなく画像データの回転処理を効率良く行うことができる。
【００３６】
また、解像度変換処理を施さない解像度が低い場合（６００ｄｐｉ）には、第２メモリからの２値の画像データの読み出し時に画像データの回転処理を行い、解像度変換処理を施す解像度が高い場合（２４００ｄｐｉ）には、第１メモリからの多値の画像データの読み出し時に画像データの回転処理を行うようにしたので、解像度変換処理が不要な低解像度（６００ｄｐｉ）の場合に全体の処理時間の短縮を図ることができ、また、解像度変換処理が必要な高解像度（２４００ｄｐｉ）の場合に支障無く回転処理を行うことができる。
【図面の簡単な説明】
【図１】本発明の画像読取記録装置としてのファクシミリ複合装置の構成を示すブロック図である。
【図２】ファクシミリ複合装置でのカラー画像読取記録の動作手順（回転処理有無の判断処理）を示すフローチャートである。
【図３】ファクシミリ複合装置でのカラー画像読取記録の動作手順（回転読取記録処理）を示すフローチャートである。
【符号の説明】
１  ファクシミリ複合装置（画像読取記録装置）
１０  制御部（制御手段）
１１  ＲＯＭ
１３  読取部
１５  第１画像メモリ（第１メモリ）
１６  色変換・２値化部（変換部）
１７  第２画像メモリ（第２メモリ）
１８  記録部
２０  操作部（設定手段）
【図１】
2004159001.tif 000003
【図２】
2004159001.tif 000004
【図３】
2004159001.tif 000005